(57)【要約】【課題】複数の照明手段を有する照明システムを提供する。【解決手段】本発明の照明システムは光分離手段、第一の照明手段、第二の照明手段と反射手段を含む。光分離手段は光分離面を有する。第一の照明手段、第二の照明手段と反射手段のうち、二つは光分離面の一方側に位置し、もう一つは光分離面の他方側に位置する。第一の照明手段と第二の照明手段はそれぞれ第一の光束と第二の光束を提供し、光分離手段は第一の光束と第二の光束の一部を通過させ、他の部分を反射する。反射手段、第一の照明手段と第二の照明手段は、第一の光束と第二の光束の一部を光分離手段に反射する。【選択図】図２A
2006269415.tif 000002
【特許請求の範囲】
【請求項１】
反射手段と、
光分離面を有する光分離手段と、
第一の光束を提供する第一の照明手段と、
第二の光束を提供する第二の照明手段と、
を有し、
前記反射手段、前記第一の照明手段と前記第二の照明手段のうちの二つは、前記光分離面の一方側に位置し、
前記反射手段、前記第一の照明手段と前記第二の照明手段のうちのもう一つは、前記光分離面の他方側に位置し、
前記光分離手段は、前記第一の光束と前記第二の光束の一部を通過させ、前記第一の光束と前記第二の光束の他の部分を反射し、
前記反射手段、前記第一の照明手段と前記第二の照明手段は、前記第一の光束と前記第二の光束の一部を前記光分離手段に反射する、
照明システム。
【請求項２】
前記第二の照明手段と前記第一の照明手段とは、第一の軸線上に位置し、
前記反射手段は、第二の軸線上に位置し、
前記光分離面は、前記第一の軸線と前記第二の軸線の交点を通過し、前記光分離面と前記第一の軸線のなす角度は、前記光分離面と前記第二の軸線の成す角度と等しい、
請求項１に記載の照明システム。
【請求項３】
前記第二の軸線上に位置し、前記第一の照明手段と前記光分離面の同じ側に位置する集光手段を更に含む、
請求項２に記載の照明システム。
【請求項４】
前記反射手段と前記第一の照明手段とは、前記第一の軸線上に位置し、
前記第二の照明手段は、前記第二の軸線上に位置し、
前記光分離面は、前記第一の軸線と前記第二の軸線の交点を通過し、前記光分離面と前記第一の軸線のなす角度は、前記光分離面と前記第二の軸線の成す角度と等しい、
請求項１に記載の照明システム。
【請求項５】
前記第二の軸線上に位置し、前記第一の照明手段と前記光分離面の同じ側に位置する集光手段を更に含む、
請求項４に記載の照明システム。
【請求項６】
前記第一の照明手段と前記第二の照明手段は、それぞれ、発光部とライト・マスクを含み、
前記発光部は、前記ライト・マスクに設置され、照明光を提供し、
前記ライト・マスクは、前記照明光を前記第一の光束と前記第二の光束に変換する、
請求項１に記載の照明システム。
【請求項７】
前記ライト・マスクは、楕円球状のライト・マスクまたは放物面状のライト・マスクを含む、
請求項６に記載の照明システム。
【請求項８】
前記光分離手段は、ビーム・スプリッタを含む、
請求項１に記載の照明システム。
【請求項９】
前記光分離手段は、ビーム・スプリッタ・プリズムを含む、
請求項１に記載の照明システム。
【請求項１０】
前記反射手段は、前記ビーム・スプリッタ・プリズムに設置されためっき層である、
請求項９に記載の照明システム。
【請求項１１】
前記反射手段は、平面ミラー、球面ミラー、楕円球面ミラー或いは放物面ミラーを含む、
請求項１に記載の照明システム。
【請求項１２】
前記反射手段には、薄膜が設置され、
前記薄膜は、前記第一の光束と前記第二の光束における赤外線と紫外線をフィルタリングする、
請求項１に記載の照明システム。
【請求項１３】
光分離面を有する光分離手段と、
前記光分離面の一方側に配置され、第一の光束を提供する第一の照明手段と、
前記光分離面の他方側に配置され、第二の光束を提供する第二の照明手段と、
前記第二の照明手段と前記光分離面の同じ側に位置し、第三の光束を提供する第三の照明手段と、
を有し、
前記光分離手段は、前記第一の光束、前記第二の光束と前記第三の光束の一部を通過させ、前記第一の光束、前記第二の光束と前記第三の光束の他の部分を反射し、
前記第一の照明手段、第二の照明手段と第三の照明手段は、前記第一の光束、前記第二の光束と前記第三の光束の一部を前記光分離手段に反射する、
照明システム。
【請求項１４】
前記第一の照明手段と前記第二の照明手段とは、第一の軸線上に位置し、
前記第三の照明手段は、第二の軸線上に位置し、
前記光分離面は、前記第一の軸線と前記第二の軸線の交点を通過し、前記光分離面と前記第一の軸線のなす角度は、前記光分離面と前記第二の軸線の成す角度と等しい、
請求項１３に記載の照明システム。
【請求項１５】
前記第二の軸線上に位置し、前記第一の照明手段と前記光分離面の同じ側に位置する集光手段を更に含む、
請求項１４に記載の照明システム。
【請求項１６】
前記第一の照明手段、前記第二の照明手段と前記第三の照明手段は、それぞれ、発光部とライト・マスクを含み、
前記発光部は、前記ライト・マスクに設けられ、照明光を提供し、
前記ライト・マスクは、前記照明光を前記第一の光束、前記第二の光束と前記第三の光束に変換する、
請求項１３に記載の照明システム。
【請求項１７】
前記ライト・マスクは、楕円球状のライト・マスク或いは放物面状のライト・マスクを含む、
請求項１６に記載の照明システム。
【請求項１８】
前記光分離手段は、ビーム・スプリッタ或いはビーム・スプリッタ・プリズムを含む、
請求項１３に記載の照明システム。
【発明の詳細な説明】
【技術分野】
【０００１】
本発明は、照明システムに関し、特に、複数のランプを有する照明システムに関する。
【背景技術】
【０００２】
図１に示すように、二つのランプを有する従来の照明システム１００は、第一のランプ１１０、第二のランプ１２０および反射ユニット１３０を含む。第一のランプ１１０と第二のランプ１２０とは、互いに対向するように設置され、同一の軸線50上に位置する。反射ユニット１３０は、第一のランプと第二のランプとの間に設けられ、それぞれ軸線５０と成す角度が45度である二つの反射面１３２と１３４を有する。
【０００３】
また、第一のランプ１１０と第二ランプ１２０は、それぞれ灯芯１１２と１２２、及び、放物面状のライト・マスク１１４と１２４を含む。灯芯１１２と１２２は、発散する照明光を提供し、放物面状のライト・マスク１１４と１２４は、灯芯１１２と１２２からの発散する照明光を、平行ビーム１１２aと１２２aに変換し、この二つの平行ビーム１１２aと１２２aの光軸は、軸線５０と平行する。また、平行ビーム１１２aと１２２aの一部は、反射ユニット１３０の反射面１３２と１３４により反射され、合成光束１４０を形成し、他の部分は、放物面状のライト・マスク１２４と１１４により反射ユニット１３０に反射され、反射面１３４と１３２により反射され、合成光束１４０を形成する。
【０００４】
二つのランプを有する前述の照明システムにおいて、平行ビーム１１２aと１２２aはそれぞれ第二と第一のランプ１２０と１１０に直接入射し、繰り返し灯芯１１２と１２２を通過するので、灯芯１１２と１２２は、温度が高くなり、壊れやすくなる。また、二つのランプのうち、一つは壊れると、投影装置により投影された映像の半分は暗くなる。
【０００５】
また、二つのランプを有する照明システム１００は、平行ビームを提供するランプのみを使用することができる。例えば、放物面状のライト・マスクを有するランプを用いることができるが、非平行ビームを提供するランプ（例えば、楕円面状のライト・マスクを有するランプ）を用いることができない。また、二つのランプを有する照明システム１００からの平行ビームは発散し、光の利用効率が低いので、投影装置により投影された映像の輝度が低下する。また、二つのランプを有する照明システム１００のサイズは大きく、投影装置の体積も大きくなるので、軽く、薄く、コンパクトな電子製品に対するニーズに応えられない。
【発明の開示】
【発明が解決しようとする課題】
【０００６】
本発明の目的は、従来の照明システムにおける欠点を改善する照明システムを提供することにある。
【０００７】
本発明の他の目的は、簡単な光学素子の配置により投影装置全体の体積を小さくする照明システムを提供することにある。
【０００８】
本発明の他の目的は、輝度の高い光束を生成し、投影装置により投影された映像の輝度を高くする照明システムを提供することにある。
【課題を解決するための手段】
【０００９】
前述の目的を達成するために、本発明は光分離手段、第一の照明手段、第二の照明手段及び反射手段を含む照明システムを提供する。第一の照明手段、第二の照明手段及び反射手段のうち、二つは、光分離面の一方側に位置し、他の一つは、光分離面の他方側に位置する。また、第一の照明手段と第二の照明手段は、それぞれ第一の光束と第二の光束を提供し、光分離手段は、第一の光束と第二の光束の一部を通過させ、他の部分を反射する。また、反射手段、第一及び第二の照明手段は、第一と第二の光束の一部を光分離手段に反射する。
【００１０】
前述の第二の照明手段と第一の照明手段とは、例えば、第一の軸線上に位置し、反射手段は、例えば、第二の軸線上に位置し、光分離手段の光分離面は、例えば、第一の軸線と第二の軸線の交点を通過する。また、光分離面と第一の軸線の成す角度は、例えば、光分離面と第二の軸線の成す角度と等しい。
【００１１】
前述の反射手段と第一の照明手段とは、例えば、第一の軸線上に位置し、第二の照明手段は、例えば、第二の軸線上に位置し、光分離手段の光分離面は、例えば、第一の軸線と第二の軸線の交点を通過する。また、光分離面と第一の軸線の成す角度は、例えば、光分離面と第二の軸線の成す角度と等しい。
【００１２】
前述の第一と第二の照明手段は、例えば、それぞれ発光部とライト・マスクを含み、発光部はライト・マスク内に設置される。発光部は発散する照明光を提供し、ライト・マスクはこの発散する照明光を第一／第二の光束に変換する。また、ライト・マスクは、例えば、楕円球状或いは放物面状のライト・マスクである。
【００１３】
前述の光分離手段は、例えば、ビーム・スプリッタ或いはビーム・スプリッタ・プリズムである。また、前述の反射手段は、ビーム・スプリッタ・プリズムに設置されても良く、この場合、この反射手段は、めっき層であっても良い。
【００１４】
前述の反射手段は、例えば、平面ミラー、球面ミラー、楕円球状のライト・マスク或いは放物面状のライト・マスクであっても良い。
【００１５】
また、本発明は、光分離手段、第一の照明手段、第二の照明手段及び第三の照明手段を含む。光分離手段は、光分離面を有し、第一の照明手段は、この光分離面の一方側に配置され、第二の照明手段と第三の照明手段は、この光分離面の他方側に設置される。また、第一、第二と第三の照明手段は、それぞれ第一、第二と第三の光束を提供し、光分離手段は、第一、第二と第三の光束の一部を通過させ、他の部分を反射する。また、第一、第二と第三の照明手段は、第一、第二と第三の光束の一部を光分離手段に反射する。
【００１６】
前述の第一の照明手段と第二照明手段とは、例えば、第一の軸線上に位置し、第三の照明手段は、第二の軸線上に位置し、光分離手段の光分離面は、例えば、第一の軸線と第二の軸線の交点を通過する。また、光分離面と第一の軸線の成す角度は、例えば、光分離面と第二の軸線の成す角度と等しい。
【００１７】
前述の第一、第二と第三の照明手段は、例えば、それぞれ発光部とライト・マスクを含み、発光部は、ライト・マスク内に配置される。発光部は発散する照明光を提供し、ライト・マスクはこの発散する照明光を第一／第二／第三の光束に変換する。また、ライト・マスクは、例えば、楕円球状或いは放物面状のライト・マスクである。
【００１８】
前述の光分離手段は、例えば、ビーム・スプリッタ或いはビーム・スプリッタ・プリズムである。
【００１９】
前述の二種類の照明システムは、第二の軸線上に位置し、第一の照明手段と光分離面の同じ側に位置する集光手段を更に含む。
【発明の効果】
【００２０】
本発明の照明システムにおいて、光分離手段を第一の光束と第二の光束の伝播経路に配置することにより、第一の光束と第二の光束の一部を合成し、また、第一と第二の照明手段及び反射手段により第一の光束と第二の光束の他の部分を光分離手段に反射し、光分離手段により合成する。よって、合成された第一の光束と第二の光束は、同一の光軸を有するので、一つの照明手段が壊れた際に投影装置により投影された映像の半分が暗いとの現象は生じない。
【００２１】
また、本発明の他の照明システムは、反射手段の代わりに第三の照明手段を用いるので、より高い輝度を有する光束を提供することができる。
【発明を実施するための最良の形態】
【００２２】
次に、添付した図面を参照しながら、本発明の好適な実施形態を詳細に説明する。
【００２３】
第一の実施形態
図２Aと図２Bに示すように、本実施形態に係る照明システム２００は、ビーム・スプリッタ２１０、第一のランプ２２０、第二のランプ２３０及び反射手段２４０を含む。ビーム・スプリッタ２１０は、光分離面２１２を有し、第一のランプ２２０は、光分離面２１２の一方側に位置し、第二のランプ２３０と反射手段２４０は、光分離面２１２の他方側に位置する。また、第一のランプ２２０と第二のランプ２３０は、それぞれ第一の光束２２２と第二の光束２３２を提供し、ビーム・スプリッタ２１０は第一と第二の光束２２２と２２３の一部を通過させ、他の部分を反射する。また、反射手段２４０、第一と第二のランプ２２０と２３０は、第一と第二の光束２２２と２２３の一部をビーム・スプリッタに反射する。
【００２４】
前述の照明システム２００において、反射手段２４０と第一のランプ２２０は、例えば、第一の軸線６０上に位置し、第二のランプ２３０は、例えば、第二の軸線７０上に位置し、ビーム・スプリッタ２１０の光分離面２１２は、第一の軸線と第二の軸線の交点を通過する。ビーム・スプリッタ２１０は、例えば、ビーム・スプリッタ・プリズム（図２B）であり、また、ビーム・スプリッタ２１０の光分離面２１２と第一の軸線６０の成す角度θは、例えば、光分離面２１２と第二の軸線７０の成す角度θと等しい。本実施形態において、第一の軸線６０と第二の軸線７０の交点から第一のランプ２２０及び第二のランプ２３０まで、それぞれの距離は、例えば、等しい。
【００２５】
前述の第一と第二のランプ２２０と２３０は、例えば、それぞれ灯芯２２４と２３４、及び、ライト・マスク２２６と２３６を含む。灯芯２２４と２３４は、ライト・マスク２２６と２３６内に設置される。灯芯２２４と２３４は、それぞれ発散する照明光を提供し、ライト・マスク２２６と２３６は、この発散する照明光を第一と第二の光束２２２と２２３に変換する。また、本実施形態において、ライト・マスク２２６と２３６は、例えば、楕円球状であり、灯芯２２４と２３４からの発散する照明光を、第一と第二の光束２２２と２３２に変換する。反射手段２４０は、平面ミラーであってもよく、例えば、第一の光束２２２の収束点に配置される。
【００２６】
第一の光束２２２は、ビーム・スプリッタ２１０に入射する時に、一部が反射され、他の部分がビーム・スプリッタ２１０を通過して反射手段２４０に入射する。また、第二の光束２３２は、ビーム・スプリッタ２１０に入射する時に、一部が反射手段２４０により反射され、他の部分がビーム・スプリッタ２１０を通過する。
【００２７】
また、ビーム・スプリッタ２１０により反射された第一の光束２２２の一部は、ビーム・スプリッタ２１０を通過した第二の光束２３２の一部と合成され、伝播経路が重なる。また、ビーム・スプリッタ２１０により反射された第二の光束２３２の一部と、ビーム・スプリッタ２１０を通過した第一の光束２２２とは、反射手段２４０によりビーム・スプリッタ２１０に反射される。その後、ビーム・スプリッタ２１０に反射された光束は、その一部がビーム・スプリッタ２１０を通過して第一のランプ２２０に入射し、他の部分がビーム・スプリッタ２１０により第二のランプ２３０に反射される。それから、第一と第二のランプ２２０と２３０のライト・マスク２２６と２３６は、それらの光束を再びビーム・スプリッタ２１０に反射し、再利用する。
【００２８】
本実施形態に係る照明システム２００は、例えば、集光手段２５０を更に含み、集光手段２５０は、第一のランプ２２０と光分離面の同じ側に位置し、また、第二の軸線７０上に位置する。この集光手段２５０は、積分ロッド（Integration  Rod）、レンズ・アレー（Lens  Array）或いは集光効果を有する他の光学素子であっても良い。集光手段２５０は、例えば、合成された後の第一と第二の光束２２２と２３２の収束点に配置され、合成された後の第一と第二の光束２２２と２３２を収集し、照明システム２００により提供される光束の輝度を高める。
【００２９】
照明システム２００において、合成された後の第一と第二の光束２２２と２３２の伝播経路は重なるので、光束は集中し、光束の輝度は高くなり、投影装置により投影された映像の輝度を高くすることができる。また、合成された後の第一と第二の光束２２２と２３２の伝播経路は重なるので、一つのランプが壊れた際に投影装置により投影された映像の半分が暗いとの現象は生じない。更に、第一と第二の光束２２２と２３２は、その一部のみが第二と第一のランプ２３０と２２０に入射するので、従来の照明システム１００（図１）のような、灯芯１１２と１２２の温度が高くなり、壊れやすいとの欠点を解消することができる。
【００３０】
また、本実施形態において、反射手段２４０に異なる薄膜をめっきすることにより、色温度を調整するのみならず、赤外線と紫外線を分離することもできるので、灯芯２２４と２３４の過熱を更に防止し、灯芯２２４と２３４の故障率を低減する。また、本実施形態において、ビーム・スプリッタ２１０により反射される光束とビーム・スプリッタ２１０を通過させる光束の割合を調整することにより、照明システム２００により提供される光束の輝度を高め、また、第一と第二のランプ２２０と２３０の周囲の温度を制御することにより、灯芯２２４と２３４の過熱による故障を防止する。更に、照明システム２００のサイズは小さいので、投影装置全体の体積は小さくなる。
【００３１】
図３Aと図３Bに示すように、本実施形態に係る反射手段２４０は、前述の平面ミラー（図２A）であるのみならず、異なるライト・マスクに基づいて異なる反射手段を選択しても良い。楕円球状のライト・マスクを例とすると、反射手段２４０は、平面ミラーの他、球面ミラー（図３A）であっても良い。球面ミラーは、第一と第二の光束２２２と２３２の熱源を分散し、第一と第二のランプ２２０と２３０の周囲の温度を低くすることができる。また、反射手段２４０は、楕円球面ミラー（図３B）であっても良い。楕円球面ミラーは、第一のランプ２２０のライト・マスク２２６と同じ曲率を有し、また、第一のランプ２２０の光学共役位置に設置され、照明システム２００により提供される光束の輝度を高める。
【００３２】
また、図４Aと図４Bに示すように、本実施形態において、第一と第二のランプ２２０と２３０のライト・マスク２２６と２３６は、楕円球状（図２A）の他、放物面状（図４Aと図４B）であっても良い。放物面状のライト・マスクは、灯芯２２４と２３４からの発散する照明光を平行ビームに変換することができる。言い換えると、本実施形態に係る照明システム２００は、異なる形式のライト・マスク２２６を用い、平行或いは非平行の光束を提供するので、平行ビームまたは非平行ビームを必要とする投影装置に使用されることができる。もちろん、図４Aと図４Bに示される反射手段２４０は、平面ミラーの他、放物面ミラーであっても良い。
【００３３】
図４Cに示すように、一実施形態において、ビーム・スプリッタ２１０は、ビーム・スプリッタ・プリズムであっても良い。この場合、このビーム・スプリッタ・プリズムは、めっき層２１４を有する。めっき層２１４は、反射手段として、第一と第二の光束２２２と２３２の一部を反射する。
【００３４】
図５Aと図５Bに示すように、前述の照明システム２００（図２A）において、第二のランプ２３０と反射手段２４０とは、光分離面２１２の同じ側に位置し、第一のランプ２２０は、光分離面２１２の他方側に位置する。しかし、本発明の第一の実施形態において、第一のランプ２２０と第二のランプ２３０とは、光分離面２１２の同じ側に位置し、反射手段２４０は、光分離面２１２の他方側に位置しても良い。
【００３５】
照明システム２００aにおいて、第二の光束２３２は、ビーム・スプリッタ２１０に入射する時に、光束の一部が第一のランプ２２０に反射され、第一のランプにより回収されて再利用され、他の部分がビーム・スプリッタ２１０を通過する。また、第一の光束２２２は、ビーム・スプリッタ２１０に入射する時に、光束の一部が第二のランプ２３０に反射され、第二のランプ２３０により回収されて再利用され、他の部分がビーム・スプリッタ２１０を通過し、それから、反射手段２４０によりビーム・スプリッタ２１０に反射される。
【００３６】
また、反射手段２４０によりビーム・スプリッタ２１０に反射された第一の光束２２２は、その一部が、ビーム・スプリッタ２１０を通過し、第一のランプ２２０に入射し、第一のランプ２２０により回収されて再利用され、他の部分が、ビーム・スプリッタ２１０により反射され、ビーム・スプリッタ２１０を通過した第二の光束２３２の一部と合成される。
【００３７】
第二の実施形態
図６に示すように、本実施形態に係る照明システム２００ｂは、図２Aに示される照明システム２００とほぼ同じであり、以下は、二つの照明システム２００ｂと２００の相違点のみについて説明する。
【００３８】
照明システム２００ｂには、照明システム２００の第二のランプ２３０と反射手段２４０の位置が交換され、第二のランプ２３０と反射手段２４０がそれぞれ第一の軸線６０上と第二の軸線７０上に位置する。
【００３９】
本実施形態において、第一のランプ２２０からの第一の光束２２２は、一部がビーム・スプリッタ２１０により反射され、他の部分がビーム・スプリッタ２１０を通過して第二のランプ２３０に入射し、第二のランプ２３０により回収されて再利用される。また、第二のランプ２３０からの第二の光束２３２は、一部がビーム・スプリッタ２１０により反射され、他の部分がビーム・スプリッタを通過する。
【００４０】
また、ビーム・スプリッタ２１０を通過した第二の光束２３２の部分は、第一のランプ２２０に入射し、第一のランプ２２０により回収されて再利用される。一方、ビーム・スプリッタ２１０に反射された第二の光束２３２の部分は、反射手段２４０により反射されてビーム・スプリッタ２１０に入射する。その後、反射手段２４０によりビーム・スプリッタ２１０に反射された第二の光束２３２は、一部がビーム・スプリッタ２１０を通過し、ビーム・スプリッタ２１０により反射された第一の光束２２２の部分と合成され、他の部分がビーム・スプリッタ２１０により反射されて第二のランプ２３０に入射し、第二のランプ２３０により回収されて再利用される。
【００４１】
照明システム２００ｂの利点は第一の実施形態に係る照明システム２００の利点とほぼ同じであるため、ここではその説明を省略する。また、本実施形態において、ビーム・スプリッタ２１０は、ビーム・スプリッタ・プリズムであってもよく、ライト・マスク２２６と２３６は、楕円球状或いは放物面状であっても良い。反射手段２４０は、平面ミラー、球面ミラー、楕円球面ミラー或いは放物面ミラーであっても良い。
【００４２】
第三の実施形態
図６に示すように、本実施形態に係る照明システム２００ｃは、図５に示される照明システム２００aとほぼ同じであるものの、二つの照明システムの相違点は、照明システム２００ｃにおいて、照明システム２００aの反射手段２４０を第三のランプ２６０に変更することにあり、即ち、本実施形態に係る照明システム２００ｃは、三つのランプを有する。
【００４３】
本実施形態において、第一のランプ２２０からの第一の光束２２２は、一部がビーム・スプリッタ２１０により反射され、他の部分がビーム・スプリッタ２１０を通過して第二のランプ２３０に入射し、第二のランプ２３０により回収されて再利用される。また、第二のランプ２３０からの第二の光束２３２は、一部がビーム・スプリッタ２１０により反射され、他の部分がビーム・スプリッタ２１０を通過する。
【００４４】
また、ビーム・スプリッタ２１０を通過した第二の光束２３２の部分は、第一のランプ２２０に入射し、第一のランプ２２０により回収されて再利用される。一方、ビーム・スプリッタ２１０により反射された第二の光束２３２の部分は、第三のランプ２６０により回収されて再利用される。また、第三のランプ２６０からの第三の光束２６２は、一部がビーム・スプリッタ２１０を通過し、他の部分がビーム・スプリッタ２１０により反射される。ビーム・スプリッタ２１０を通過した第三の光束２６２の部分は、ビーム・スプリッタ２１０により反射された第一の光束２２２の部分と合成され、ビーム・スプリッタ２１０により反射された第三の光束２６２の部分は、第二のランプ２３０により回収されて再利用される。
【００４５】
本実施形態に係る照明システム２００ｃは、第一、第二と第三のランプ２２０、２３０と２６０を有するので、より高い輝度を持つ光束を提供することができる。よって、投影装置により投影された映像の輝度は高くなる。また、本実施形態には、ビーム・スプリッタ２１０は、ビーム・スプリッタ・プリズムであっても良く、ライト・マスク２２６、２３６と２６６は、楕円球状或いは放物面状であっても良い。
【００４６】
ゆえに、本発明の照明システムは、少なくとも以下の利点を有する。
【００４７】
１．第一の光束と第二光束が合成された後に同一の光軸を有するので、合成された後の光束は集中し、光束の輝度は高くなる。これにより、投影装置により投影された映像の輝度が高くなり、また、一つのランプが壊れたときに映像の半分が暗いとの現象は生じない。
【００４８】
２．本発明の照明システムは、平行ビームまたは非平行ビームを提供できるので、平行ビーム或いは非平行ビームを必要とする投影装置に使用されることができる。
【００４９】
３．本発明の照明システムのサイズは小さいので、投影装置全体の体積を小さくすることができる。
【００５０】
４．本発明の照明システムは、三つのランプを使用できるので、より高い輝度を有する光束を提供することができる。よって、投影装置により投影された映像の輝度を更に高くすることができる。
【００５１】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００５２】
【図１】二つのランプを有する従来の照明システムの構造図である。
【図２Ａ】本発明の第一の実施形態に係る照明システムの構造図である。
【図２Ｂ】本発明の第一の実施形態に係る他の照明システムの構造図である。
【図３Ａ】本発明の第一の実施形態に係る他の照明システムの構造図である。
【図３Ｂ】本発明の第一の実施形態に係る他の照明システムの構造図である。
【図４Ａ】本発明の第一の実施形態に係る他の照明システムの構造図である。
【図４Ｂ】本発明の第一の実施形態に係る他の照明システムの構造図である。
【図４Ｃ】本発明の第一の実施形態に係る他の照明システムの構造図である。
【図５Ａ】本発明の第一の実施形態に係る他の照明システムの構造図である。
【図５Ｂ】本発明の第一の実施形態に係る他の照明システムの構造図である。
【図６】本発明の第二の実施形態に係る他の照明システムの構造図である。
【図７】本発明の第三の実施形態に係る他の照明システムの構造図である。
【符号の説明】
【００５３】
５０  軸線
６０  第一の軸線
７０  第二の軸線
１００  二つのランプを有する照明システム
１１０、２２０  第一のランプ
１１２、１２２、２２４、２３４、２６４  灯芯
１１２a、１２２a  平行ビーム
１１４、１２４  放物面状のライト・マスク
１２０、２３０  第二のランプ
１３０  反射手段
１４０  合成光束
２００、２００a、２００ｂ、２００ｃ  照明システム
２１０  ビーム・スプリッタ
２１２  光分離面
２１４  めっき層
２２２  第一の光束
２２６、２３６、２６６  ライト・マスク
２３２  第二の光束
２４０  反射手段
２５０  集光手段
２６０  第三のランプ
２６２  第三の光束
θ  角度
【図１】
2006269415.tif 000003
【図２Ａ】
2006269415.tif 000004
【図２Ｂ】
2006269415.tif 000005
【図３Ａ】
2006269415.tif 000006
【図３Ｂ】
2006269415.tif 000007
【図４Ａ】
2006269415.tif 000008
【図４Ｂ】
2006269415.tif 000009
【図４Ｃ】
2006269415.tif 000010
【図５Ａ】
2006269415.tif 000011
【図５Ｂ】
2006269415.tif 000012
【図６】
2006269415.tif 000013
【図７】
2006269415.tif 000014